(57)【要約】【課題】配管又は配線が木質梁を貫通する貫通箇所を低減させる。【解決手段】建物１０は、鋼製の枠材３０２で構成された木質柱１００の仕口部３００と、仕口部３００に接合された木質梁２００と、枠材３０２内（貫通孔３０６）に挿通された配管７０と、を備えている。【選択図】図１
2020097845.tif 000002
【特許請求の範囲】
【請求項１】
木材よりも高い強度の材料で構成された柱の仕口部と、
前記仕口部に接合された木質梁と、
前記仕口部に形成された貫通孔に挿通された配管又は配線と、
を備えた建物。
【請求項２】
隣接する前記柱の前記仕口部には、前記貫通孔が形成され、
前記配管又は前記配線が、複数の前記仕口部の前記貫通孔に挿通されている、
請求項１に記載の建物。
【請求項３】
前記仕口部は、鋼製の枠材で構成され、
前記枠材に、前記木質梁と木質柱とがボルト接合されている、
請求項１又は請求項２に記載の建物。
【発明の詳細な説明】
【技術分野】
【０００１】
本発明は、建物に関する。
【背景技術】
【０００２】
特許文献１には、構造物の柱と梁との接合構造に関する技術が開示されている。この先行技術では、梁の端面に梁端部ユニットを溶接すると共に、梁端部ユニットを介在し接合鋼棒を用いて柱と梁を接合している。そして、梁端部ユニットの長さと接合鋼棒の長さを変えることで、剛性、半剛性の特性を適宜に変化できるようにしている。
【０００３】
また、特許文献２には、木材で構成された耐火集成材に関する技術が開示されている。
【先行技術文献】
【特許文献】
【０００４】
【特許文献１】特許３７２８５９７号公報
【特許文献２】特開２００８−３１７４３号公報
【発明の概要】
【発明が解決しようとする課題】
【０００５】
木造建築物において、スラブの下面に沿って配管又は配線を配設する場合、スラブを支持する木質梁に配管又は配線が挿通する貫通孔を形成する必要が生じる。しかし、木質梁に配管又は配線が挿通する貫通孔を形成すると耐力が低下する。
【０００６】
本発明は、上記事実を鑑み、配管又は配線が木質梁を貫通する貫通箇所を低減させることが課題である。
【課題を解決するための手段】
【０００７】
第一態様は、木材よりも高い強度の材料で構成された柱の仕口部と、前記仕口部に接合された木質梁と、前記仕口部に形成された貫通孔に挿通された配管又は配線と、を備えた建物である。
【０００８】
第一態様では、木材よりも強度が高い材料で構成された仕口部に形成された貫通孔に配管又は配線を挿通させることで、配管又は配線が木質梁を貫通する貫通箇所が低減する。また、仕口部は木材よりも強度が高い材料で構成されているので、貫通孔を形成しても耐力の低下が抑制される。
【０００９】
第二態様は、隣接する前記柱の前記仕口部には、前記貫通孔が形成され、前記配管又は前記配線が、複数の前記仕口部の前記貫通孔に挿通されている、第一態様に記載の建物である。
【００１０】
第二態様では、隣接する柱に渡って、配管又は配線を通すことができる。
【００１１】
第三態様は、前記仕口部は、鋼製の枠材で構成され、前記枠材に、前記木質梁と木質柱とがボルト接合されている、第一態様又は第二態様に記載の建物である。
【００１２】
第三態様では、仕口部が鋼製の枠材で構成されているので、配管又は配線を挿通させるスペースが広く確保される。
【発明の効果】
【００１３】
本発明によれば、配管又は配線が木質梁を貫通する貫通箇所を低減させることができる。
【図面の簡単な説明】
【００１４】
【図１】建物の要部のＸ方向に沿った縦断面図である。
【図２】建物の要部の斜視図である。
【発明を実施するための形態】
【００１５】
＜実施形態＞
本発明の一実施形態の建物について説明する。なお、水平方向の直交する二方向をＸ方向及びＹ方向とし、それぞれ矢印Ｘ及び矢印Ｙで示す。また、Ｘ方向及びＹ方向に直交する鉛直方向をＺ方向とし、矢印Ｚで示す。
【００１６】
［構造］
先ず、本実施形態の建物の構造について説明する。
【００１７】
図１及び図２に示すように、本実施形態の建物１０は、木造建築とされ、柱の一例としての木質柱１００、木質梁２００及び木質のスラブ５０を有している。
【００１８】
木質柱１００と木質梁２００との仕口部３００は、鋼製の矩形枠状の枠材３０２で構成されている。枠材３０２の上下には、木質柱１００を構成する下柱１０２と上柱１０４とがボルト接合されている。また、枠材３０２のＸ方向の両側には、木質梁２００がボルト接合されている。なお、枠材３０２内の空間が貫通孔３０６である。
【００１９】
なお、本実施形態では、図１に示すように、下柱１０２の端部１０３、上柱１０４の端部１０５及び木質梁２００の端部２０２からそれぞれ棒状部材の一例としての全ねじボルト２０が突出し、枠材３０２に締結されている。また、本実施形態では、全ねじボルト２０は、下柱１０２の端部１０３、上柱１０４の端部１０５及び木質梁２００の端部２０２のそれぞれに形成された挿入穴３０に挿入されている。そして、挿入穴３０に接着剤等の充填材Ｇが充填されることで、下柱１０２の端部１０３、上柱１０４の端部１０５及び木質梁２００の端部２０２と、全ねじボルト２０と、が接合されている。また、本実施形態の挿入穴３０には、拡径部３２が形成され、拡径部３２にも充填材Ｇが充填されている。
【００２０】
また、本実施形態では、枠材３０２の角部には、Ｘ方向及びＺ方向（上下方向）に延出する延出部３０４が形成されている。延出部３０４は、下柱１０２の端部１０３、上柱１０４の端部１０５及び木質梁２００の端部２０２に形成された段差部に係合されている。
【００２１】
図２に示すように、木質柱１００及び木質梁２００は、Ｙ方向に沿って連続して設置されている。よって、仕口部３００（枠材３０２）もＹ方向に沿って、連続している。
【００２２】
そして、これらＹ方向に連続する仕口部３００を構成する枠材３０２内（貫通孔３０６）には、Ｙ方向に沿って配設された水道や空調等の配管７０が挿通されている（図１も参照）。なお、図２では、枠材３０２が見えるように、配管７０は想像線（二点鎖線）で図示している。
【００２３】
［作用及び効果］
次に、本実施形態の作用及び効果について説明する。
【００２４】
木質柱１００の仕口部３００を構成する枠材３０２内（貫通孔３０６）に配管７０を挿通させることで、配管７０が木質梁２００を貫通する貫通箇所が低減する。また、仕口部３００を構成する枠材３０２は木材よりも強度が高い鋼材で構成されているので、仕口部３００が木質の場合と比較し、耐力の低下が抑制される。
【００２５】
また、仕口部３００は枠材３０２で構成されているので、配管７０を挿通させるスペース（貫通孔３０６）が広く確保される。
【００２６】
また、本実施形態では、全ねじボルト２０が挿入されている挿入穴３０には、拡径部３２が形成されている。よって、拡径部３２に充填された充填材Ｇは、挿入穴３０から全ねじボルト２０が引き抜かれる引抜き力に抵抗する引抜き抵抗部として機能する。これにより、下柱１０２の端部１０３、上柱１０４の端部１０５及び木質梁２００の端部２０２と、全ねじボルト２０との接合強度が高められる。そして、この結果、下柱１０２の端部１０３、上柱１０４の端部１０５及び木質梁２００の端部２０２と、枠材３０２との接合強度が高められる。
【００２７】
＜その他＞
尚、本発明は上記実施形態に限定されない。
【００２８】
例えば、上記実施形態では、仕口部３００を構成する枠材３０２内（貫通孔３０６）には、一本の配管７０が挿通されていたが、これに限定されない。複数本の配管が挿通されていてもよい。また、配管７０でなく、電線や信号線等の一本又は複数本の配線が枠材３０２内（貫通孔３０６）に挿通されていてもよい。更に、配管及び配線の両方が枠材３０２内（貫通孔３０６）に挿通されていてもよい。
【００２９】
また、例えば、上記実施形態では、仕口部３００は鋼製の枠材３０２で構成されていたが、これに限定されない。仕口部３００は、木材よりも高い強度の材料、例えば、コンクリートで構成し、コンクリートに配管又は配線を挿通させる貫通孔を形成してもよい。
【００３０】
また、本実施形態では、柱は木質柱１００であったが、これに限定されない。鉄筋コンクリート造や鉄骨造の柱であってもよい。また、同様に、スラブも木質以外の材料のスラブであってもよい。
【００３１】
更に、本発明の要旨を逸脱しない範囲において種々なる態様で実施し得る。
【符号の説明】
【００３２】
１０      建物
７０      配管
１００      木質柱（柱の一例）
２００      木質梁
３００      仕口部
３０２      枠材
３０６      貫通孔
【図１】
2020097845.tif 000003
【図２】
2020097845.tif 000004